(57)【特許請求の範囲】
【請求項１】
ユーザの情報処理端末からのアクセスを受け付ける受付手段と、
前記アクセスに応じて、前記情報処理端末のアクティベーション処理を実行するとともに、前記アクティベーション処理の実行中に、前記アクセスとともに前記情報処理端末から受け付ける、前記ユーザを識別可能な情報である前記アクティベーション処理に必要な情報に基づいて特定可能な、当該ユーザの属性、ショッピングシステムの利用履歴、アンケート結果又は位置を示す情報を取得して、取得する情報に基づいて特定される、当該ユーザに応じたコンテンツを前記情報処理端末に提供する処理を実行する処理実行手段と、
を含むことを特徴とするコンテンツ提供装置。
【請求項２】
前記処理実行手段は、前記ユーザを識別可能な情報に基づいて特定可能な、当該ユーザに関する情報が登録されているショッピングシステムにおける、前記処理実行手段による前記コンテンツの提供とは異なるサービスについての当該ユーザの利用履歴を示す情報を取得して、取得する情報に基づいて特定される、当該ユーザに応じたコンテンツを、前記情報処理端末に提供する処理を実行する、
ことを特徴とする請求項１に記載のコンテンツ提供装置。
【請求項３】
ユーザの情報処理端末からのアクセスを受け付ける受付手段と、
前記アクセスに応じて、前記情報処理端末にインストールされているオペレーティングシステムのアップデート処理を実行するとともに、前記アップデート処理の実行中に、前記アクセスとともに前記情報処理端末から受け付ける、前記ユーザを識別可能な情報である前記アップデート処理に必要な情報に基づいて特定可能な、当該ユーザの属性、ショッピングシステムの利用履歴、アンケート結果又は位置を示す情報を取得して、取得する情報に基づいて特定される、当該ユーザに応じたコンテンツを前記情報処理端末に提供する処理を実行する処理実行手段と、
を含むことを特徴とするコンテンツ提供装置。
【請求項４】
前記処理実行手段は、前記コンテンツの決済処理が実行される前は内容の少なくとも一部の閲覧が制限され、前記コンテンツの決済処理が実行された後は当該少なくとも一部が閲覧可能となる状態で、前記コンテンツを前記情報処理端末に提供する処理を実行する、
ことを特徴とする請求項１から３のいずれか一項に記載のコンテンツ提供装置。
【請求項５】
前記ユーザの情報処理端末からの前回のアクセスから今回のアクセスまでの期間の長さに基づいて、当該ユーザに応じたコンテンツを前記情報処理端末に提供するか否かを判断する判断手段、をさらに含む、
ことを特徴とする請求項１から４のいずか一項に記載のコンテンツ提供装置。
【請求項６】
前記判断手段は、前記情報処理端末からの前回のアクセスから今回のアクセスまでの期間の長さが所定の長さを超えている場合に、当該ユーザに応じたコンテンツを、当該情報処理端末に提供することを判断する、
ことを特徴とする請求項５に記載のコンテンツ提供装置。
【請求項７】
前記判断手段は、前記情報処理端末が備える記憶部の空き容量に基づいて、コンテンツを提供するか否かを判断する、
ことを特徴とする請求項５又は６に記載のコンテンツ提供装置。
【請求項８】
前記判断手段は、前記コンテンツ提供装置と前記情報処理端末との間の通信又は前記情報処理端末に提供されるコンテンツが従量課金の対象となる場合は、前記コンテンツを前記情報処理端末に提供しないことを判断する、
ことを特徴とする請求項５から７のいずれか一項に記載のコンテンツ提供装置。
【請求項９】
ユーザの情報処理端末からのアクセスを受け付ける受付ステップと、
前記アクセスに応じて、前記情報処理端末のアクティベーション処理を実行するとともに、前記アクティベーション処理の実行中に、前記アクセスとともに前記情報処理端末から受け付ける、前記ユーザを識別可能な情報である前記アクティベーション処理に必要な情報に基づいて特定可能な、当該ユーザの属性、ショッピングシステムの履歴、アンケート結果又は位置を示す情報を取得して、取得する情報に基づいて特定される、当該ユーザに応じたコンテンツを前記情報処理端末に提供する処理を実行する処理実行ステップと、
を含むことを特徴とするコンテンツ提供方法。
【請求項１０】
ユーザの情報処理端末からのアクセスを受け付ける受付ステップと、
前記アクセスに応じて、前記情報処理端末にインストールされているオペレーティングシステムのアップデート処理を実行するとともに、前記アップデート処理の実行中に、前記アクセスとともに前記情報処理端末から受け付ける、前記ユーザを識別可能な情報である前記アップデート処理に必要な情報に基づいて特定可能な、当該ユーザの属性、ショッピングシステムの履歴、アンケート結果又は位置を示す情報を取得して、取得する情報に基づいて特定される、当該ユーザに応じたコンテンツを前記情報処理端末に提供する処理を実行する処理実行ステップと、
を含むことを特徴とするコンテンツ提供方法。
【請求項１１】
ユーザの情報処理端末からのアクセスを受け付ける受付手段、
前記アクセスに応じて、前記情報処理端末のアクティベーション処理を実行するとともに、前記アクティベーション処理の実行中に、前記アクセスとともに前記情報処理端末から受け付ける、前記ユーザを識別可能な情報である前記アクティベーション処理に必要な情報に基づいて特定可能な、当該ユーザの属性、ショッピングシステムの利用履歴、アンケート結果又は位置を示す情報を取得して、取得する情報に基づいて特定される、当該ユーザに応じたコンテンツを前記情報処理端末に提供する処理を実行する処理実行手段、
としてコンピュータを機能させることを特徴とするプログラム。
【請求項１２】
ユーザの情報処理端末からのアクセスを受け付ける受付手段、
前記アクセスに応じて、前記情報処理端末にインストールされているオペレーティングシステムのアップデート処理を実行するとともに、前記アップデート処理の実行中に、前記アクセスとともに前記情報処理端末から受け付ける、前記ユーザを識別可能な情報である前記アップデート処理に必要な情報に基づいて特定可能な、当該ユーザの属性、ショッピングシステムの履歴、アンケート結果又は位置を示す情報を取得して、取得する情報に基づいて特定される、当該ユーザに応じたコンテンツを前記情報処理端末に提供する処理を実行する処理実行手段、
としてコンピュータを機能させることを特徴とするプログラム。
【発明の詳細な説明】
【技術分野】
【０００１】
本発明は、コンテンツ提供装置、コンテンツ提供方法、プログラム及び記録媒体に関する。
【背景技術】
【０００２】
電子書籍等のデジタルコンテンツの閲覧や再生を行うことができる情報処理端末が存在する。このような情報処理端末に関し、特許文献１には、複数のコンテンツがプリインストールされた状態でユーザに提供される端末が開示されている。
【先行技術文献】
【特許文献】
【０００３】
【特許文献１】特開２００６−２４０３０号公報
【発明の概要】
【発明が解決しようとする課題】
【０００４】
ユーザによってデジタルコンテンツの好みは様々であると考えられる。しかし、情報処理端末にプリインストールされたコンテンツは、ユーザの好みに関わらず画一的なものとなるので、ユーザの好みに合わないコンテンツがプリインストールされたコンテンツに含まれてしまうおそれがある。
【０００５】
また、情報処理端末の製造時にコンテンツがプリインストールされるなどの事情により、コンテンツがプリインストールされた時期からユーザが情報処理端末を使用し始める時期までの期間が長くなってしまうと、プリインストールされたコンテンツが時代遅れなものとなり、プリインストールされたコンテンツがユーザの好みに合わない可能性がより一層高くなるものと思われる。
【０００６】
さらに、情報処理端末にプリインストールされるコンテンツの量が多いと、ユーザの好みに合わない当該コンテンツによって情報処理端末の記憶容量が逼迫してしまうことも考えられる。
【０００７】
また、情報処理端末をプレゼントされたユーザのなかには、当該情報処理端末の使い方がわからないなどの理由で当該情報処理端末を利用しないユーザがある程度存在することが知られている。このような情報処理端末にプリインストールされたコンテンツは、まったくの無駄になってしまう。
【０００８】
コンテンツの提供者にとっても、ユーザによるコンテンツの利用の有無に関係なく、コンテンツの提供のためにはコンテンツを管理する必要がある。また、コンテンツによっては、プリインストールによって著作権料が発生することも考えられる。
【０００９】
以上の点を考慮すると、ユーザによって利用されることが確認された情報処理端末に当該ユーザに応じたコンテンツが提供されるようにすることが望ましいことは明らかである。
【００１０】
本発明は、上記課題に鑑みてなされたものであって、その目的の１つは、ユーザによって利用されることが確認された情報処理端末に当該ユーザに応じたコンテンツが提供されるようにすることにある。
【課題を解決するための手段】
【００１１】
上記課題を解決するために、本発明に係るコンテンツ提供装置は、ユーザの情報処理端末からのアクセスを受け付ける受付手段と、前記ユーザの情報処理端末からの前回のアクセスから今回のアクセスまでの期間の長さに基づいて、当該ユーザに応じたコンテンツを前記情報処理端末に提供するか否かを判断する判断手段と、前記ユーザに応じたコンテンツを前記情報処理端末に提供することが判断される場合に、前記コンテンツを前記情報処理端末に提供する処理を実行する処理実行手段と、を含むことを特徴とする。
【００１２】
また、本発明に係るコンテンツ提供方法は、ユーザの情報処理端末からのアクセスを受け付ける受付ステップと、前記ユーザの情報処理端末からの前回のアクセスから今回のアクセスまでの期間の長さに基づいて、当該ユーザに応じたコンテンツを前記情報処理端末に提供するか否かを判断する判断ステップと、前記ユーザに応じたコンテンツを前記情報処理端末に提供することが判断される場合に、前記コンテンツを前記情報処理端末に提供する処理を実行する処理実行ステップと、を含むことを特徴とする。
【００１３】
また、本発明に係るプログラムは、ユーザの情報処理端末からのアクセスを受け付ける受付手段、前記ユーザの情報処理端末からの前回のアクセスから今回のアクセスまでの期間の長さに基づいて、当該ユーザに応じたコンテンツを前記情報処理端末に提供するか否かを判断する判断手段、前記ユーザに応じたコンテンツを前記情報処理端末に提供することが判断される場合に、前記コンテンツを前記情報処理端末に提供する処理を実行する処理実行手段、としてコンピュータを機能させることを特徴とする。
【００１４】
また、本発明に係る記録媒体は、ユーザの情報処理端末からのアクセスを受け付ける受付手段、前記ユーザの情報処理端末からの前回のアクセスから今回のアクセスまでの期間の長さに基づいて、当該ユーザに応じたコンテンツを前記情報処理端末に提供するか否かを判断する判断手段、前記ユーザに応じたコンテンツを前記情報処理端末に提供することが判断される場合に、前記コンテンツを前記情報処理端末に提供する処理を実行する処理実行手段、としてコンピュータを機能させることを特徴とするプログラムを記録した記録媒体である。
【００１５】
また、本発明に係る別のコンテンツ提供装置は、ユーザの情報処理端末からのアクセスを受け付ける受付手段と、前記アクセスが、前記情報処理端末のアクティベーション処理に関するアクセスである場合に、前記情報処理端末に当該ユーザに応じたコンテンツを提供することを判断する判断手段と、前記ユーザに応じたコンテンツを前記情報処理端末に提供することが判断される場合に、前記情報処理端末のアクティベーション処理を実行するとともに、当該ユーザに応じたコンテンツを、当該ユーザの情報処理端末に提供する処理を実行する処理実行手段と、を含むことを特徴とする。
【００１６】
また、本発明に係る別のコンテンツ提供方法は、ユーザの情報処理端末からのアクセスを受け付ける受付ステップと、前記アクセスが、前記情報処理端末のアクティベーション処理に関するアクセスである場合に、前記情報処理端末に当該ユーザに応じたコンテンツを提供することを判断する判断ステップと、前記ユーザに応じたコンテンツを前記情報処理端末に提供することが判断される場合に、前記情報処理端末のアクティベーション処理を実行するとともに、当該ユーザに応じたコンテンツを、当該ユーザの情報処理端末に提供する処理を実行する処理実行ステップと、を含むことを特徴とする。
【００１７】
また、本発明に係る別のプログラムは、ユーザの情報処理端末からのアクセスを受け付ける受付手段、前記アクセスが、前記情報処理端末のアクティベーション処理に関するアクセスである場合に、前記情報処理端末に当該ユーザに応じたコンテンツを提供することを判断する判断手段、前記ユーザに応じたコンテンツを前記情報処理端末に提供することが判断される場合に、前記情報処理端末のアクティベーション処理を実行するとともに、当該ユーザに応じたコンテンツを、当該ユーザの情報処理端末に提供する処理を実行する処理実行手段、としてコンピュータを機能させることを特徴とする。
【００１８】
また、本発明に係る別の記録媒体は、ユーザの情報処理端末からのアクセスを受け付ける受付手段、前記アクセスが、前記情報処理端末のアクティベーション処理に関するアクセスである場合に、前記情報処理端末に当該ユーザに応じたコンテンツを提供することを判断する判断手段と、前記ユーザに応じたコンテンツを前記情報処理端末に提供することが判断される場合に、前記情報処理端末のアクティベーション処理を実行するとともに、当該ユーザに応じたコンテンツを、当該ユーザの情報処理端末に提供する処理を実行する処理実行手段、としてコンピュータを機能させることを特徴とするプログラムを記録した記録媒体である。
【００１９】
本発明によれば、ユーザによって利用されることが確認された情報処理端末に当該ユーザに応じたコンテンツが提供されることとなる。
【００２０】
本発明の一態様では、前記判断手段は、前記情報処理端末から受け付けるアクセスが初めてのアクセスである場合に、当該ユーザに応じたコンテンツを前記情報処理端末に提供することを判断し、前記処理実行手段は、前記ユーザに応じたコンテンツを前記情報処理端末に提供することが判断される場合に、前記情報処理端末のアクティベーション処理を実行するとともに、当該ユーザに応じたコンテンツを、当該情報処理端末に提供する処理を実行することを特徴とする。
【００２１】
また、本発明の一態様では、前記受付手段は、コンテンツの決済に必要な決済情報を受け付け、前記処理実行手段は、前記決済情報を用いて前記情報処理端末のアクティベーション処理を実行するとともに、当該決済情報に基づいて特定されるユーザの、当該ユーザに関する情報が登録されているショッピングシステム又は当該ユーザによる前記コンテンツ提供装置の利用履歴に応じたコンテンツを、当該情報処理端末に提供する処理を実行することを特徴とする。
【００２２】
また、本発明の一態様では、前記判断手段は、前記アクセスが、前記情報処理端末にインストールされているオペレーティングシステムのアップデート処理を要求するアクセスである場合に、前記情報処理端末に当該ユーザに応じたコンテンツを提供することを判断し、前記処理実行手段は、前記ユーザに応じたコンテンツを前記情報処理端末に提供することが判断される場合に、当該情報処理端末にインストールされているオペレーティングシステムのアップデート処理を実行するとともに、当該ユーザに応じたコンテンツを、当該情報処理端末に提供する処理を実行することを特徴とする。
【００２３】
また、本発明の一態様では、前記判断手段は、前記情報処理端末からの前回のアクセスから今回のアクセスまでの期間の長さが所定の長さを超えている場合に、当該ユーザに応じたコンテンツを、当該情報処理端末に提供することを判断することを特徴とする。
【００２４】
また、本発明の一態様では、前記処理実行手段は、前記コンテンツの決済処理が実行される前は内容の少なくとも一部の閲覧が制限され、前記コンテンツの決済処理が実行された後は当該少なくとも一部が閲覧可能となる状態で、前記コンテンツを前記情報処理端末に提供する処理を実行することを特徴とする。
【００２５】
また、本発明の一態様では、前記判断手段は、前記情報処理端末が備える記憶部の空き容量に基づいて、コンテンツを提供するか否かを判断することを特徴とする。
【００２６】
また、本発明の一態様では、前記判断手段は、前記コンテンツ提供装置と前記情報処理端末との間の通信又は前記情報処理端末に提供されるコンテンツが従量課金の対象となる場合は、前記コンテンツを前記情報処理端末に提供しないことを判断することを特徴とする。
【図面の簡単な説明】
【００２７】
【図１】本発明の一実施形態に係るショッピングシステムの全体構成図である。
【図２】電子書籍管理データのデータ構造の一例を示す図である。
【図３】アカウントデータのデータ構造の一例を示す図である。
【図４】本実施形態に係るショッピングサーバで実現される機能の一例を示す機能ブロック図である。
【図５】本発明の一実施形態に係るショッピングシステムで行われる処理の流れの一例を示すフロー図である。
【図６】アクティベーション画面の一例を示す図である。
【発明を実施するための形態】
【００２８】
以下、本発明の一実施形態について図面に基づき詳細に説明する。
【００２９】
図１は、本発明の一実施形態に係るショッピングシステム１０の全体構成図である。図１に示すように、本実施形態に係るショッピングシステム１０は、いずれもコンピュータを中心に構成された、ショッピングサーバ１２、ユーザ端末１４（１４−１〜１４−ｎ）、を含んでいる。ショッピングサーバ１２、ユーザ端末１４は、インターネットなどのコンピュータネットワーク１６に接続されており、互いに通信可能になっている。
【００３０】
ショッピングサーバ１２は、ウェブ技術を用いて、商品やサービスに関する情報のユーザへの提供やユーザから受け付ける購入要求に応じた商品やサービスの決済などといった、電子商取引に関する処理を実行するウェブサーバ等のコンピュータである。
【００３１】
また、本実施形態に係るショッピングサーバ１２は、本実施形態におけるコンテンツ提供装置としての役割も担っており、ウェブ技術を用いて、ショッピングサーバ１２に記憶されている電子書籍をユーザ端末１４に送信するサービス等を提供する。また、ショッピングサーバ１２は、例えば、ショッピングサーバ１２にインストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、等を含んで構成されている。これらの要素は、バスを介して接続される。ショッピングサーバ１２の記憶部には、ショッピングサーバ１２の制御部によって実行されるプログラムが記憶される。また、ショッピングサーバ１２の記憶部は、ショッピングサーバ１２のワークメモリとしても動作する。
【００３２】
ユーザ端末１４は、ショッピングシステム１０のユーザが使用するコンピュータであり、例えば、パーソナルコンピュータ、タブレット端末、スマートフォン、携帯電話機、などである。ユーザ端末１４は、例えば、ＣＰＵ等の制御部、ＲＯＭやＲＡＭ等の記憶素子やハードディスクドライブ等の記憶部、ディスプレイ等の表示部、マウス、キーボード、タッチパネル、ボタン等の入力部、ネットワークボード等の通信部を備えている。また、本実施形態に係るユーザ端末１４には、ウェブブラウザが予めインストールされており、ウェブブラウザが実行されるようになっている。ユーザ端末１４は、ウェブブラウザを通じてショッピングサーバ１２が提供する各種サービスを受ける。
【００３３】
本実施形態では、予め、ショッピングサーバ１２の記憶部に、複数の電子書籍（電子書籍のファイル）、電子書籍の書誌的事項等を管理するための電子書籍管理データ２０（図２参照）、ショッピングシステム１０を利用するユーザのアカウントを管理するためのアカウントデータ２２（図３参照）、が記憶されている。
【００３４】
図２は、電子書籍管理データ２０のデータ構造の一例を示す図である。電子書籍管理データ２０には、図２に示すように、例えば、電子書籍の識別子である電子書籍ＩＤ（具体的には、例えば、ＩＳＢＮ（International Standard Book Number）など）、タイトル、種別（例えば、ミステリー、ファンタジー、ノンフィクション、など）、著者名、出版社名、発行年月日、ページ数、価格、サムネイル画像、などが含まれている。また、複数巻から構成される電子書籍については、電子書籍管理データ２０に、例えば、複数巻から構成される電子書籍群を識別するシリーズＩＤ（例えば、ある電子書籍群に属する電子書籍には同一のシリーズＩＤの値が設定される）、及び、巻番号も含まれる。
【００３５】
図３は、アカウントデータ２２のデータ構造の一例を示す図である。アカウントデータ２２には、図３に示すように、ショッピングシステム１０を利用するユーザを識別するユーザＩＤ、氏名、住所、年齢、電子メールアドレス、当該ユーザを認証するためのパスワード、当該ユーザがショッピングシステム１０での商品やサービスの決済に利用されるクレジットカードのカード番号、などが含まれている。
【００３６】
また、ショッピングサーバ１２の記憶部には、アカウントデータ２２としてアカウントが登録されているユーザがショッピングサーバ１２を利用して購入した商品やサービスについての購入履歴、ショッピングサーバ１２が提供するウェブページの閲覧履歴、なども記憶されている。
【００３７】
本実施形態では、ユーザ端末１４が、ウェブブラウザを介してショッピングサーバ１２にアクセスし、ユーザＩＤ及びパスワードを入力してから、その後に所定のＵＲＬにアクセスすると、ユーザ端末１４のディスプレイに所定のＵＲＬに対応するページが表示される。なお、ユーザＩＤ及びパスワードを入力した後は、ショッピングサーバ１２は、例えば、セッション情報を参照することによりユーザ端末１４を利用するユーザのユーザＩＤを特定することができるようになっている。
【００３８】
図４は、本実施形態に係るショッピングサーバ１２で実現される機能の一例を示す機能ブロック図である。なお、本実施形態に係るショッピングサーバ１２では、図４に示す機能以外の機能も実現されている。
【００３９】
本実施形態に係るショッピングサーバ１２は、機能的には、受付部３０、判断部３２、処理実行部３４、を含んで構成される。これらの要素は、コンピュータであるショッピングサーバ１２にインストールされたプログラムを、ショッピングサーバ１２の制御部で実行することにより実現されている。なお、このプログラムは、例えば、ＣＤ−ＲＯＭ、ＤＶＤ−ＲＯＭなどのコンピュータ読み取り可能な記録媒体を介して、あるいは、インターネットなどの通信ネットワークを介してショッピングサーバ１２に供給される。なお、特許請求の範囲の記載における受付手段は、本実施形態における受付部３０に相当する。また、特許請求の範囲の記載における判断手段は、本実施形態における判断部３２に相当する。また、特許請求の範囲の記載における処理実行手段は、本実施形態における処理実行部３４に相当する。
【００４０】
本実施形態に係るショッピングシステム１０では、アカウントデータ２２が予め登録されているユーザが、新たなユーザ端末１４を初めて利用する際に、当該ユーザ端末１４に電源を投入すると、ユーザ端末１４は、自らを起動する。そして、当該ユーザ端末１４についてのアクティベーション処理が終了すると、当該ユーザ端末１４でショッピングサーバ１２が提供するサービスが利用可能となる。また、本実施形態では、アクティベーション処理の実行とともに、ショッピングサーバ１２からアクティベーション処理の対象となったユーザ端末１４に対する、当該ユーザ端末１４のユーザに応じた電子書籍（以下、おすすめ電子書籍と呼ぶ。）の送信が行われる。
【００４１】
ここで、本実施形態に係るショッピングシステム１０で行われる処理の流れの一例を、図５に示すフロー図を参照しながら説明する。
【００４２】
まず、ショッピングサーバ１２の記憶部に予めアカウントデータ２２が登録されているユーザが、アクティベーション処理を実行する必要があるユーザ端末１４（新たに利用を開始するユーザ端末１４）に電源を投入すると、ユーザ端末１４は自らを起動させ、図６に例示するアクティベーション画面４０をディスプレイに表示させる（Ｓ１０１）。
【００４３】
図６に例示するように、アクティベーション画面４０には、ショッピングサーバ１２から提供される電子書籍を決済するために必要な情報（決済情報）を入力するフィールドが含まれている。本実施形態では、アクティベーション画面４０には、例えば、電子書籍の決済用のクレジットカードのカード番号、ユーザの氏名、及び、ユーザの電子メールアドレス、を入力するフィールドが含まれている。また、アクティベーション画面４０には、アクティベーション処理を実行するためのアクティベートボタン４２が含まれている。
【００４４】
そして、ユーザが、カード番号、ユーザの氏名、及び、ユーザの電子メールアドレスをアクティベーション画面４０に含まれるフィールドに入力した上で、アクティベートボタン４２をクリックすると、ユーザ端末１４が、入力された、カード番号、ユーザの氏名、及び、ユーザの電子メールアドレスの組合せに関連付けられた、アクティベーション処理要求をショッピングサーバ１２に送信する。すると、ショッピングサーバ１２の受付部３０が、当該アクティベーション処理要求を受信する（Ｓ１０２）。
【００４５】
そして、処理実行部３４が、おすすめ電子書籍の特定のためにショッピングサーバ１２を運営する事業者によって当該ユーザの個人情報の利用されることの許否を問い合わせるページ（図示せず）をユーザ端末１４に送信する。そして、ユーザ端末１４は、当該ページを受信する（Ｓ１０３）。当該ページには、ユーザ端末１４のユーザが、おすすめ電子書籍の特定のためにショッピングサーバ１２を運営する事業者によって当該ユーザの個人情報の利用されることを許可する際にクリックされる許可ボタンが含まれている。
【００４６】
そして、ユーザが許可ボタンをクリックすると、ユーザ端末１４は、個人情報の利用を許可する旨をショッピングサーバ１２に送信する。すると、ショッピングサーバ１２の受付部３０が、個人情報の利用を許可する旨を受信する（Ｓ１０４）。
【００４７】
そして、判断部３２が、アカウントデータ２２において、Ｓ１０２に示す処理で受信したカード番号に関連付けられているユーザＩＤを特定する（Ｓ１０５）。
【００４８】
そして、判断部３２が、Ｓ１０５に示す処理で特定されたユーザＩＤに基づいて、当該ユーザＩＤに対応するユーザに対するおすすめ電子書籍を特定する（Ｓ１０６）。
【００４９】
Ｓ１０６に示す処理で、本実施形態では、例えば、判断部３２が、Ｓ１０５に示す処理で特定されたユーザＩＤに対応するユーザによる、ショッピングサーバ１２の利用履歴に基づいて、当該ユーザに対するおすすめ電子書籍を特定する。具体的には、例えば、判断部３２が、Ｓ１０５に示す処理で特定されたユーザＩＤに対応するユーザが購入した電子書籍（例えば、当該ユーザが他のユーザ端末１４からショッピングサーバ１２にアクセスして購入した電子書籍）の購入履歴や、Ｓ１０５に示す処理で特定されたユーザＩＤに対応するユーザがショッピングサーバ１２を利用して購入した、紙の書籍、又は、電子書籍以外の商品やサービスの購入履歴に基づいて、当該ユーザに対するおすすめ電子書籍を特定する。
【００５０】
より具体的には、例えば、購入済の電子書籍のいずれかと著者名が同じである電子書籍、購入済の電子書籍のいずれかと種別が同じである電子書籍、購入済の電子書籍のいずれかと出版社名が同じである電子書籍、購入済の電子書籍のいずれかと発行年が同じである電子書籍、購入済の商品やサービスの名称がタイトルの一部に含まれている電子書籍、などがおすすめ電子書籍として特定される。
【００５１】
また、判断部３２が、上述のもの以外のショッピングサーバ１２の利用履歴（例えば、ショッピングサーバ１２が提供するページの閲覧履歴や、ショッピングサーバ１２に、ユーザのお気に入りとして登録されている商品やサービス）に基づいて、当該ユーザに対するおすすめ電子書籍を特定するようにしてもよい。
【００５２】
上述のものの他、例えば、ユーザに対して予め行われたアンケート結果に基づいて特定される電子書籍（例えば、ユーザが好きな種別であると回答した種別の電子書籍等）が、おすすめ電子書籍として特定されるようにしてもよい。
【００５３】
あるいは、例えば、ユーザ端末１４のユーザのアカウントデータ２２に含まれる年齢に基づいて特定される、同年代のユーザ（例えば、２０代のユーザ、３０代のユーザ、など）に対する販売数が多いものから順に所定数（例えば、１０個）、ユーザ端末１４のユーザのアカウントデータ２２に含まれる住所に基づいて特定される、住所が含まれる地域が同じであるユーザ（近隣に住むユーザ）に対する販売数が多いものから順に所定数（例えば、１０個）、などがおすすめ電子書籍として特定されるようにしてもよい。
【００５４】
そして、処理実行部３４が、ユーザ端末１４のアクティベーション処理を実行する（Ｓ１０７）。また、処理実行部３４は、Ｓ１０７に示す処理と並行して、おすすめ電子書籍の当該ユーザ端末１４への送信を実行する（Ｓ１０８）。なお、本実施形態でのアクティベーション処理とは、例えば、Ｓ１０２に示す処理で受信したアクティベーション処理要求に関連付けられているデータ以外の、ユーザの個人情報の入力、ユーザ端末１４の認証処理、ユーザ端末１４にインストールされているオペレーティングシステムのアップデート処理などを含む、ユーザ端末１４の初期設定に必要な処理を指す。また、本実施形態では、アクティベーション処理が終了する前に、おすすめ電子書籍の送信が終了するようになっている。このように、本実施形態では、アクティベーション処理中におすすめ電子書籍がユーザ端末１４にダウンロードされるので、アクティベーション処理後すぐに、ユーザはユーザ端末１４でおすすめ電子書籍を閲覧することができる。
【００５５】
本実施形態によれば、アクティベーション処理が実行される際に、おすすめ電子書籍のユーザ端末１４への送信が行われるので、ユーザによって利用されていることが確認されたユーザ端末１４に当該ユーザに応じたコンテンツが提供されることとなる。そのため、使用されていないユーザ端末１４へのコンテンツの提供が防止できる。また、ユーザに応じたおすすめ電子書籍が提供されるので、おすすめ電子書籍を読むことにユーザが興味を持つ可能性が高くなると思われる。また、本実施形態では、アクティベーション処理が終了すると、すぐにユーザはユーザに応じた電子書籍を閲覧することができることとなる。すなわち、ユーザ端末１４に電子書籍がプリインストールされた状態と同様の状態を、ユーザ端末１４に電子書籍をプリインストールすることなく実現することが可能となる。また、本実施形態では、アクティベーション画面４０でユーザによって入力されたカード番号に基づいてユーザの履歴情報が特定される。ユーザは、決済に必要な情報を入力するだけで、自分の嗜好に関する情報を入力する必要もなく、当該ユーザに応じたコンテンツが思いもよらない形で提供されることとなるので、本実施形態によれば、当該ユーザを驚かせたり喜ばせたりすることができるものと期待される。
【００５６】
なお、上述の処理例において、アクティベーション画面４０に、ユーザＩＤを入力するフィールドが含まれていてもよい。そして、判断部３２が、入力されたユーザＩＤに対応するユーザが購入した電子書籍（例えば、当該ユーザが他のユーザ端末１４からショッピングサーバ１２にアクセスして購入した電子書籍）の購入履歴や、当該ユーザＩＤに対応するユーザがショッピングサーバ１２を利用して購入した、紙の書籍、又は、電子書籍以外の商品やサービスの購入履歴を特定するようにしてもよい。そして、判断部３２が、特定された購入履歴に基づいて、当該ユーザに対するおすすめ電子書籍を特定するようにしてもよい。
【００５７】
また、上述の処理例では、Ｓ１０５及びＳ１０６で、アクティベーション画面４０でユーザによって入力されたカード番号に基づいてユーザの履歴情報が特定される。カード番号は、本実施形態のアクティベーション画面４０において必須の入力事項である。上述の処理例では、当該カード番号を用いてユーザの利用履歴を特定できるので、ユーザは、自分の嗜好に関する情報を入力する必要もなく、ユーザ端末１４の利用開始時に自分の利用履歴に基づいておすすめの電子書籍が特定される。
【００５８】
なお、本発明は上述の実施形態に限定されるものではない。
【００５９】
例えば、Ｓ１０５に示す処理において、アンケート結果に基づいて提供するコンテンツを特定する場合、アンケートの質問がアクティベーション画面４０に含まれるように構成してもよい。この場合、アンケート結果が、アクティベーション処理要求と共にショッピングサーバ１２に送信される。よって、ショッピングサーバ１２では、現在のユーザの嗜好を把握し、その上でユーザに応じたコンテンツを提供できる。
【００６０】
また、ユーザに応じたコンテンツを特定する方法は、上記のようなユーザの利用履歴に基づく方法に限られない。例えば、ＧＰＳ等によりユーザが過去に訪れた場所が特定可能である場合には、ユーザが過去に訪れた場所に基づいておすすめ電子書籍が特定される（例えば、訪れた場所をタイトルの一部として含む電子書籍がおすすめ電子書籍として特定される）ようにしてもよい。また、例えば、ユーザ端末１４の現在位置に基づいておすすめ電子書籍が特定される（例えば、ユーザ端末１４の現在位置が日本である場合には日本語で記述された電子書籍がおすすめ電子書籍が特定される）ようにしてもよい。また、例えば、最近のニュースに関連する電子書籍がおすすめ電子書籍として特定されるようにしてもよい。
【００６１】
また、例えば、Ｓ１０８に示す処理において、決済処理が実行される前は内容の一部又は全部の閲覧が制限され、決済処理が実行された後は電子書籍のすべてが閲覧可能となる状態で、おすすめ電子書籍のユーザ端末１４への送信が実行されるようにしてもよい。例えば、決済前は第１話だけが閲覧可能な状態であり、決済後にすべてが閲覧可能となる状態で、おすすめ電子書籍のユーザ端末１４への送信が実行されるようにしてもよい。こうすれば、ユーザに応じたおすすめ電子書籍の一部が決済前に閲覧可能となるので、当該おすすめ電子書籍が当該ユーザに購入される可能性が高くなることが期待される。
【００６２】
ここで、おすすめ電子書籍の一部又は全部の閲覧を制限したり、おすすめ電子書籍を閲覧できない状態から閲覧可能な状態に変化させたりする制御には、様々な手法を用いることが考えられる。決済前におすすめ電子書籍が暗号化された状態で復号鍵とともにショッピングサーバ１２からユーザ端末１４に送信され、決済後に当該おすすめ電子書籍が復号鍵により復号化されるようにしてもよい。また、例えば、決済前におすすめ電子書籍が暗号化された状態でショッピングサーバ１２からユーザ端末１４に送信され、決済後に復号鍵がショッピングサーバ１２からユーザ端末１４に送信され、当該復号鍵によりおすすめ電子書籍が復号化されるようにしてもよい。
【００６３】
また、例えば、決済前におすすめ電子書籍を構成するビット列がずらされた状態でショッピングサーバ１２からユーザ端末１４に送信され、決済後に当該おすすめ電子書籍を構成するビット列が元に戻されるようにしてもよい。また、例えば、決済前におすすめ電子書籍のうちの一部以外についてはマスクがかけられた状態で表示されるようにし、決済後にマスクが外されるようにしてもよい。
【００６４】
なお、おすすめ電子書籍の一部又は全部の閲覧を制限したり、おすすめ電子書籍を閲覧できない状態から閲覧可能な状態に変化させたりする制御に、公知の各種のＤＲＭ（Digital Rights Management）技術を活用するようにすることができる。
【００６５】
また、例えば、複数巻から構成される電子書籍のうちの第１巻だけがおすすめ電子書籍としてショッピングサーバ１２からユーザ端末１４に送信されるようにしてもよい。こうすれば、ユーザに応じた電子書籍の第１巻がおすすめ電子書籍としてユーザに提供されるので、当該電子書籍の第２巻以降が当該ユーザに購入される可能性が高くなることが期待される。
【００６６】
また、おすすめ電子書籍のユーザ端末１４への送信が行われるのは、ショッピングサーバ１２がアクティベーション処理自体を要求するアクセスを受け付けた場合に限定されない。例えば、アクティベーション処理に関するアクセス（例えば、アクティベーション処理の要求に付随する、ユーザ端末１４のアクティベーションに必要なアクセス等）を受け付けた場合に、ユーザ端末１４のアクティベーション処理が実行されるとともに、おすすめ電子書籍のユーザ端末１４への送信が行われるようにしてもよい。また、例えば、ショッピングサーバ１２が、ユーザ端末１４から、ユーザ端末１４にインストールされているオペレーティングシステムのアップデート処理を要求するアクセスを受け付けた場合に、当該ユーザ端末１４にインストールされているオペレーティングシステムのアップデート処理を実行するとともに、おすすめ電子書籍をユーザ端末１４に送信するようにしてもよい。
【００６７】
また、例えば、判断部３２が、ユーザ端末１４によるショッピングサーバ１２へのアクセス履歴に基づいて、ユーザ端末１４からショッピングサーバ１２への前回のアクセスから今回のアクセスまでの期間の長さを特定するようにしてもよい。ここで、判断部３２が、前回のアクセスがない場合には、上述の期間の長さを無限と特定するようにしてもよい。そして、判断部３２が、上述のようにして特定される期間の長さに基づいて、おすすめ電子書籍をユーザ端末１４に送信するか否かを判断するようにしてもよい。例えば、ユーザ端末１４からショッピングサーバ１２への前回のアクセスから今回のアクセスまでの期間の長さが所定の長さを超えていると判断される場合に、おすすめ電子書籍がショッピングサーバ１２からユーザ端末１４に送信されるようにしてもよい。また、例えば、ユーザ端末１４から受け付けるアクセスが初めてのアクセスであると判断される場合（すなわち、現在までにユーザ端末１４によるショッピングサーバ１２へのアクセスが一度もないと判断される場合（上述の期間の長さが無限であると判断される場合））に、おすすめ電子書籍がユーザ端末１４に送信されるようにしてもよい。
【００６８】
また、以上説明した実施形態によれば、プリインストールされたもののユーザ端末１４が利用されないためにコンテンツが無駄になることを防止できる。また、以上説明した実施形態によれば、ユーザの好みに合わないために、ユーザ端末１４に提供されるコンテンツが無駄になることを抑制できる。また、以上説明した実施形態によれば、ショッピングサーバ１２は、ユーザに応じた電子書籍をユーザに提供するので、これからユーザ端末１４の利用を開始するユーザ、又は、ユーザ端末１４を久しぶりに利用するユーザが、提供されたコンテンツに興味を持つ可能性が高くなる。この場合、ユーザは、ユーザ端末１４をよく利用するようになり、ユーザ端末１４がユーザにとって有益なものとなる。このことは、アクティベーション処理に関するアクセスをユーザ端末１４から受け付けたと判断される際に、おすすめ電子書籍がユーザ端末１４に送信される場合についても、ユーザ端末１４からの初めてのアクセスを受け付けたと判断される際（現在までにユーザ端末１４によるショッピングサーバ１２へのアクセスが一度もない際）に、おすすめ電子書籍がユーザ端末１４に送信される場合についても、ユーザ端末１４からショッピングサーバ１２への前回のアクセスから今回のアクセスまでの期間の長さが所定の長さを超えていると判断される際に、おすすめ電子書籍がショッピングサーバ１２からユーザ端末１４に送信される場合についてもあてはまる。すなわち、上述のいずれの場合についても、その技術的意義は同一であり、同様の効果を奏する。
【００６９】
以上、ショッピングサーバ１２において行われるショッピングサーバ１２からユーザ端末１４への電子書籍の送信の制御について説明したが、同様にして、電子書籍以外のコンテンツ（例えば、音楽、動画、ゲーム、各種のプログラム等）のショッピングサーバ１２からユーザ端末１４への送信の制御がショッピングサーバ１２において行われるようにしてもよい。
【００７０】
また、電子書籍等のコンテンツの保存用として確保されている領域（以下、保存用領域と呼ぶ。）の大きさが予め定められていてもよい。そして、保存用領域の空き容量が所定値以上である場合に、コンテンツのユーザ端末１４への送信が実行されるようにしてもよい。こうすれば、ユーザ端末１４の保存用領域の空き容量を確保することができる。
【００７１】
また、例えば、ユーザ端末１４とショッピングサーバ１２との間の通信が従量課金の対象となる場合や、ショッピングサーバ１２からユーザ端末１４に送信されるコンテンツが従量課金の対象となる場合には、当該コンテンツのユーザ端末１４への送信が行われないようにしてもよい。こうすれば、ユーザが要求していないコンテンツが提供されることによる、ユーザに対する課金を防ぐことができる。
【００７２】
本実施形態におけるショッピングサーバ１２、及び、ユーザ端末１４の役割分担は上述の実施形態には限定されない。また、明細書中の具体的な数値や文字列、及び、図面中の具体的な数値や文字列は例示であり、これらの数値や文字列には限定されない。
【符号の説明】
【００７３】
１０  ショッピングシステム、１２  ショッピングサーバ、１４  ユーザ端末、１６  コンピュータネットワーク、２０  電子書籍管理データ、２２  アカウントデータ、３０  受付部、３２  判断部、３４  処理実行部、４０  アクティベーション画面、４２  アクティベートボタン。
【図１】
0005939708.tif 000002
【図２】
0005939708.tif 000003
【図３】
0005939708.tif 000004
【図４】
0005939708.tif 000005
【図５】
0005939708.tif 000006
【図６】
0005939708.tif 000007